(57)【要約】【課題】スケールの析出を抑制する水質調整部のメンテナンス性を向上させること。【解決手段】貯湯槽３と、貯湯槽３の下部に供給される水が流れる給水管１２と、貯湯槽３の下部から入水管路１８を介して送られた水を加熱する加熱装置１０と、加熱装置１０で加熱された水が流れる出湯管路１９と、を備え、入水管路１８または給水管１２は、主流路１８ａと、主流路１８ａをバイパスする副流路１８ｂとを有し、主流路１８ａは、主流路１８ａと着脱可能に構成されて流入する水の水質をスケールが生じにくい水質に改質して流出させる水質調整部２３、水質調整部２３の上流側に配設されて流路を閉止する第１閉止弁２５ａ、水質調整部２３の下流側に配設されて流路を閉止する第２閉止弁２５ｂ、を有するので、給湯装置の運転を停止させることなく、水質調整部のメンテナンスを行うことができる。【選択図】図１
2014173825.tif 000002
【特許請求の範囲】
【請求項１】
湯を貯える貯湯槽と、
前記貯湯槽の下部に供給される水が流れる給水管と、
前記貯湯槽の下部から入水管路を介して送られた水を加熱する加熱装置と、
前記加熱装置で加熱された水が前記貯湯槽の上部へと流れる出湯管路と、を備え、
前記入水管路または前記給水管は、主流路と、前記主流路をバイパスする副流路とを有し、
前記主流路は、前記主流路と着脱可能に構成され、流入する水の水質をスケールが生じにくい水質に改質して流出させる水質調整部、前記水質調整部の上流側に配設されて流路を閉止する第１閉止弁、前記水質調整部の下流側に配設されて流路を閉止する第２閉止弁、を有することを特徴とする給湯装置。
【請求項２】
前記主流路は、前記第１閉止弁と前記第２閉止弁との間に、排水弁を有する排水路を備えることを特徴とする、請求項１に記載の給湯装置。
【請求項３】
前記排水弁は、前記水質調整部の鉛直下方側に配置されることを特徴とする、請求項１または２に記載の給湯装置。
【発明の詳細な説明】
【技術分野】
【０００１】
本発明は、水質調整部を備えた給湯装置に関するものである。
【背景技術】
【０００２】
従来、この種の給湯装置として、加熱装置によって加熱した高温の湯を貯湯槽に貯留し、貯留した湯を用いるものがある（例えば、特許文献１参照）。
【０００３】
図３は、特許文献１に記載された従来の給湯装置を示すものである。図３に示すように、給湯装置は、ガスクーラ（給湯熱交換器）１０１を有するヒートポンプユニット１０２と、水と生成された湯とが貯留される貯湯槽１０３を有する貯湯ユニット１０４とを備えている。
【０００４】
ヒートポンプユニット１０２は、圧縮機１０５、ガスクーラ１０１、膨張弁（減圧装置）１０６、蒸発器１０７が冷媒配管で環状に接続されて構成されている。また、貯湯槽１０３の下部、循環ポンプ１０８、ガスクーラ１０１、貯湯槽１０３の上部は、それぞれ配管で接続され、水回路が形成されている。
【０００５】
さらに、特許文献１に記載の給湯装置は、貯湯槽１０３の下部とガスクーラ１０１との間の水回路に、スケールの生成を抑制する抑制剤を水回路に供給する水質調整部（添加器）１０９を備えている。
【先行技術文献】
【特許文献】
【０００６】
【特許文献１】特開２０１１−６９５７２号公報
【発明の概要】
【発明が解決しようとする課題】
【０００７】
しかしながら、前記従来の構成では、水質調整部の交換等のメンテナンスが必要となった場合に、作業者は、給湯装置の運転を停止させる必要があり、これにより、水質調整部のメンテナンスが煩雑になるという課題を有していた。
【０００８】
本発明は、上記課題を解決するもので、水質調整部のメンテナンス性が向上した給湯装置を提供することを目的とする。
【課題を解決するための手段】
【０００９】
前記従来の課題を解決するために、本発明は、湯を貯える貯湯槽と、前記貯湯槽の下部に供給される水が流れる給水管と、前記貯湯槽の下部から入水管路を介して送られた水を加熱する加熱装置と、前記加熱装置で加熱された水が前記貯湯槽の上部へと流れる出湯管路と、を備え、前記入水管路または前記給水管は、主流路と、前記主流路をバイパスする副流路とを有し、前記主流路は、前記主流路と着脱可能に構成され、流入する水の水質をスケールが生じにくい水質に改質して流出させる水質調整部、前記水質調整部の上流側に配設されて流路を閉止する第１閉止弁、前記水質調整部の下流側に配設されて流路を閉止する第２閉止弁、を有することを特徴とする給湯装置である。
【００１０】
これにより、第１閉止弁と第２閉止弁とによって主流路を閉止し、副流路には水が流れている状態、すなわち、給湯装置が運転している状態で、水質調整部のメンテナンスを行うことができる。
【発明の効果】
【００１１】
本発明によれば、水質調整部のメンテナンス性が向上した給湯装置を提供することができる。
【図面の簡単な説明】
【００１２】
【図１】本発明の実施の形態１における給湯装置の構成図
【図２】同給湯装置の水質調整ユニットの概略構成図
【図３】従来の給湯装置の構成図
【発明を実施するための形態】
【００１３】
第１の発明は、湯を貯える貯湯槽と、前記貯湯槽の下部に供給される水が流れる給水管と、前記貯湯槽の下部から入水管路を介して送られた水を加熱する加熱装置と、前記加熱装置で加熱された水が前記貯湯槽の上部へと流れる出湯管路と、を備え、前記入水管路または前記給水管は、主流路と、前記主流路をバイパスする副流路とを有し、前記主流路は、前記主流路と着脱可能に構成され、流入する水の水質をスケールが生じにくい水質に改質して流出させる水質調整部、前記水質調整部の上流側に配設されて流路を閉止する第１閉止弁、前記水質調整部の下流側に配設されて流路を閉止する第２閉止弁、を有することを特徴とする給湯装置である。
【００１４】
これにより、第１閉止弁と第２閉止弁とによって主流路を閉止し、副流路には水が流れている状態で、水質調整部のメンテナンスを行うことができる。よって、給湯装置の運転を停止させることなく、水質調整部のメンテナンスを行うことができる。
【００１５】
第２の発明は、特に第１の発明において、前記主流路は、前記第１閉止弁と前記第２閉止弁との間に、排水弁を有する排水路を備えることを特徴とする。
【００１６】
これにより、閉止弁を閉止した後に排水路から排水を行うことで第１閉止弁と第２閉止弁との間の圧力を大気圧まで低下させてから、水質調整部のメンテンナンスを行うことができる。よって、水質調整部のメンテナンス性が向上する。また、水質調整部を長期に使用しない場合には、排水路からの排水を行うことで、水質調整部の内部に滞留する水の凍結による、水質調整部の破損を防止することができる。
【００１７】
第３の発明は、特に第１または第２の発明において、前記排水弁は、前記水質調整部の鉛直下方側に配置されることを特徴とする。
【００１８】
これにより、水質調整部に滞留する水を効率よく排水することができる。また、排水作業中に排水弁から水が噴出した場合でも、作業者に水がかかることを抑制して、より効率的に水質調整部のメンテナンスや交換を行うことができる。
【００１９】
以下、本発明の実施の形態について、図面を参照しながら説明する。なお、この実施の形態によって、本発明が限定されるものではない。
【００２０】
（実施の形態１）
図１は、本発明の実施の形態１における給湯装置の概略構成図である。
【００２１】
図１に示すように、本実施の形態における給湯装置は、加熱装置１０、貯湯ユニット４、水質調整ユニット４０を備えている。
【００２２】
加熱装置１０は、冷媒を圧縮する圧縮機５、冷媒と水との間で熱交換を行う熱交換器１
１、冷媒を減圧する減圧装置（膨張弁）６、空気と冷媒との間で熱交換する蒸発器７が冷媒配管によって環状に接続されたヒートポンプユニットである。冷媒配管の内部には、二酸化炭素が循環している。冷媒として二酸化炭素を用いることで、ヒートポンプユニットの高圧側の圧力は臨界圧力以上となる。
【００２３】
貯湯ユニット４は、水を貯留する貯湯槽３を備えている。貯湯槽３の下部には給水管１２が接続されている。給水管１２には、減圧弁１３が配設されており、水道管から供給される水は、減圧弁１３を流通して減圧された後、貯湯槽３の下部へと流入する。また、貯湯槽３の上部には給湯管１４が接続されている。貯湯槽３の内部に貯留された湯は、給湯管１４を介して、カラン、シャワーヘッド、浴槽などの給湯端末１７に供給される。
【００２４】
また、貯湯ユニット４は、減圧弁１３より下流側の給水管１２から分岐して、給湯管１４に接続されるバイパス管１６を備えている。なお、給湯管１４とバイパス管１６の間には、混合弁１５が配置されている。貯湯槽３の上部から給湯管１４へと流出する高温の湯は、混合弁１５において、バイパス管１６を流れる水と混合され、温度が調整された後、給湯管１４を通って給湯端末１７へと供給される。
【００２５】
貯湯槽３の下部と熱交換器１１とは、入水管路１８によって互いに接続されている。また、熱交換器１１と貯湯槽３の上部とは出湯管路１９によって互いに接続されている。これにより、貯湯槽３の下部、熱交換器１１、貯湯槽３の上部が、この順に入水管路１８と出湯管路１９とで環状に接続されて、水回路が形成されている。貯湯ユニット４の内部の入水管路１８には、貯湯槽３の下部の水を熱交換器１１へと圧送する循環ポンプ８が配設されている。
【００２６】
入水管路１８は、主流路１８ａと、主流路１８ａをバイパスする副流路１８ｂとを有している。主流路１８ａには、後述する水質調整ユニット４０が配置されている。
【００２７】
貯湯槽３の内部の水を加熱する加熱運転時には、貯湯槽３の下部に貯留されている水が入水管路１８を介して熱交換器１１に流入し、冷媒と熱交換して加熱され、高温の湯が生成される。生成された湯は、出湯管路１９を流れ、貯湯槽３の上部に流入する。
【００２８】
また、加熱装置１０の内部の出湯管路１９には、加熱装置１０によって加熱された湯温を検出する水温センサ２０ａが配置されている。また、圧縮機５と熱交換器１１との間の冷媒配管には、冷媒温センサ２０ｂが配置されている。さらに、加熱装置１０の内部には、外気温度を測定する外気温センサ２１が配置されている。なお、外気温センサ２１は、蒸発器７に配置され、かつ、蒸発器７に流入する気流に対して最も風上側に配置されていることが好ましい。
【００２９】
水質調整ユニット４０は、入水管路１８の主流路１８ａに配置されている。水質調整ユニット４０は、流入する水の水質をスケールが生じにくい水質に改質して流出させる水質調整部２３、および、排水弁２６ａを有する排水路２６ｂを備えている。水質調整ユニット４０は、接続部４７ａ、４７ｂとで、主流路１８ａに接続されている接続部４７ａ、４７ｂとしては、例えば、ユニオン式やねじ込み式の継手を用いることができる。接続部４７ａ、４７ｂと入水管路１８とを接続することで、水質調整ユニット４０は、入水管路１８の主流路１８ａと着脱可能に構成されている。
【００３０】
これにより、接続部４７ａと４７ｂとを水質調整ユニット４０ではなく、別配管にて接続することも可能である。よって、水質調整ユニット４０を搭載する場合と搭載しない場合とで、加熱装置１０と貯湯ユニット４とを共用することができる。
【００３１】
水質調整部２３は、主流路１８ａに配置されている。水質調整部２３は、スケール抑制剤２２が充填された筐体を有する。水質調整部２３は、流入する水にスケール抑制剤２２を溶解させ、スケールが生じにくい水に改質して流出させる機能を有する。本実施の形態における水質調整部２３は、筐体の鉛直下方に流入口２３ａを有し、鉛直上方に流出口２３ｂを有する。水質調整部２３には、流入口２３ａから水が流入し、流出口２３ｂから水が流出する。すなわち、水質調整部２３は、それ自身が主流路１８ａを構成している。
【００３２】
また、水質調整部２３は、流入口２３ａと流出口２３ｂとで、主流路１８ａに接続されている。本実施の形態では、水質調整部２３と主流路１８ａとは、主流路１８ａを構成する配管が、流入口２３ａおよび流出口２３ｂに差し込まれることで接続されている。すなわち、水質調整部２３は、主流路１８ａと着脱可能に構成されている。この場合、主流路１８ａと流入口２３ａおよび流出口２３ｂとの間には、Ｏリングなどのシール部材が配置されていることが好ましい。なお、流入口２３ａおよび流出口２３ｂは、例えば、ユニオン式やねじ込み式の継手を用いることもできる。
【００３３】
本実施の形態における水質調整部２３は、ＰＰＳ樹脂製の筐体の内部に、スケール抑制剤２２が充填されて構成されている。筐体をＰＰＳ樹脂製とすることで、耐圧性能を向上させることができる。
【００３４】
スケール抑制剤２２は、水に溶解すると、水に含まれる炭酸カルシウム等（スケール成分）の結晶の成長を抑制し、スケールの析出を抑制するものである。スケール抑制剤２２としては、ポリリン酸塩を主成分とする粒子を用いることができる。ポリリン酸塩としてはトリポリリン酸ナトリウムやヘキサメタリン酸ナトリウムが代表的であるが、その他のポリリン酸塩を用いても良い。また、ホスホン酸やカルボン酸系高分子電解質等の低分子ポリマーを主成分とするものを用いてもよい。
【００３５】
本実施の形態における水質調整部２３は、筐体の鉛直下方に流入口２３ａが配置され、入出口２３ｂが鉛直上方に配置されている。これにより、水は、スケール抑制剤２２が充填された水質調整部２３の筐体を、水質調整部２３の下方から上方に向かって流れる。これにより、水質調整部２３の内部を流れる水が、水質調整部２３の全体に行き渡る。よって、水に溶解するスケール抑制剤２２の溶解度（単位流量あたりの水に含まれるスケール抑制剤２２の濃度）を安定させることができる。
【００３６】
水質調整部２３の上流側の主流路１８ａには、閉止弁（第１閉止弁）２５ａが配置されている。また、水質調整部２３の下流側の主流路１８ａには閉止弁（第２閉止弁）２５ｂが配置されている。ここで、本実施の形態では、閉止弁２５ａは、接続部４７ａよりも上流側の主流路１８ａに配置されている。また、閉止弁２５ｂは、接続部４７ｂよりも下流側の主流路１８ａに配置されている。閉止弁２５ａと閉止弁２５ｂは、主流路１８ａの流路を閉止および開放する機能を有する。閉止弁２５ａと２５ｂの閉止と開放は、作業者によって手動で操作されるものであっても、また、制御装置（図示せず）によって自動で操作されるものであっても良い。
【００３７】
閉止弁２５ａと流入口２３ａとの間の主流路１８ａには、排水弁２６ａを有する排水路２６ｂが配置されている。すなわち、排水路２６ｂは水質調整ユニット４０の内部に配設されている。排水弁２６ａは、排水路２６ｂの流路を閉止および開放する機能を有する。排水弁２６ａの閉止と開放は、作業者によって手動で操作されるものであっても、また、制御装置（図示せず）によって自動で操作されるものであっても良い。
【００３８】
ここで、排水弁２６ａは、鉛直方向において水質調整部２３よりも下方側に配置されている。また、排水路２６ｂの先端は、水平方向よりも鉛直下方側を向いて構成されている
。これにより、排水路２６ｂからの排水を行うときに、作業者に水がかかることを抑制することができる。
【００３９】
以上のように構成された給湯装置について、以下にその動作、作用を説明する。
【００４０】
まず、貯湯槽３の内部の水を加熱して湯を生成する加熱運転についてまず説明する。
【００４１】
加熱運転において、制御装置（図示せず）は、圧縮機５、減圧装置６、循環ポンプ８の動作を制御して、湯を生成する。
【００４２】
なお、加熱運転時には、閉止弁２５ａ、２５ｂは開放、排水弁２６ａは閉止されている。
【００４３】
加熱装置１０では、冷媒が圧縮機５に流入し、臨界圧力以上にまで圧縮されて圧縮機５から吐出される。圧縮機５から吐出された高温高圧の冷媒は、熱交換器１１に流入する。貯湯ユニット４では、循環ポンプ８が動作することで、貯湯槽３の下部の水が入水管路１８を流れ熱交換器１１へと流入する。
【００４４】
熱交換器１１に流入した冷媒は、入水管路１８から熱交換器１１に流入する水に放熱した後、熱交換器１１から流出する。熱交換器１１から流出した冷媒は、減圧装置６によって減圧されて一部または全部が液化した後、蒸発器７へと流入する。蒸発器７に流入した冷媒は、空気から吸熱して蒸発し、圧縮機５に再度流入する。
【００４５】
熱交換器１１に流入した水は、高温高圧の冷媒から吸熱して、湯となる。湯は熱交換器１１から流出して、出湯管路１９を流れ、貯湯槽３の上部から貯湯槽３の上部から貯湯槽３の内部に流入する。このように、熱交換器１１において冷媒と水とが熱交換することで高温の湯が生成される。ここで、二酸化炭素を冷媒として使用しているので、水を高温（例えば、８５ｄｅｇ）まで加熱することができる。
【００４６】
なお、加熱運転時には、制御装置は、水温センサ２０ａで検出される湯の温度（加熱温度）が所定温度となるように循環ポンプ８の回転数を制御する。また、制御装置は、冷媒温センサ２０ｂで検出される冷媒の温度と、外気温センサ２１で検出される外気の温度とに基づいて、圧縮機５および減圧装置６を制御する。
【００４７】
ここで、循環ポンプ８によって貯湯槽３の下部から送られてきた水は、入水管路１８を流れ、主流路１８ａと副流路１８ｂとに分流する。主流路１８ａに流入した水は、水質調整部２３を通過する。このとき、水質調整部２３に充填されたスケール抑制剤２２が水に溶解する。よって、スケール抑制剤２２が溶解した水が、水質調整部２３から流出し、副流路１８ｂを流れた水と混合して、熱交換器１１へと流入する。
【００４８】
水中に含まれる炭酸カルシウムなどの成分は、水が加熱されて高温になると結晶化して析出する性質を有する。したがって、熱交換器１１に流入する水に、スケール抑制剤２２を溶解させることで、特に、高温の湯が流れる熱交換器１１、および、出湯管路１９において、炭酸カルシウムなどの結晶の成長を抑制し、スケールの析出を抑制することができる。
【００４９】
また、本実施の形態における水質調整部２３は、スケール抑制剤２２が充填された筐体の内部を、水が下方から上方に向かって一方向に流れるように構成されている。これにより、水が水質調整部２３の全体に行き渡る。よって、水質調整部２３から流出するスケール抑制剤２２の溶解度が安定する。
【００５０】
水質調整部２３に充填されているスケール抑制剤２２の内容量は、水に溶解することで次第に減少していく。内容量が減少すると、スケール抑制剤２２の水への溶解量も次第に減少し、スケールの析出を抑制する効果が低下する。よって、スケールの析出を抑制する効果が失われる前に、水質調整部２３を交換する、あるいは、スケール抑制剤２２を再充填するなどのメンテナンスを実施する必要がある。メンテンナンスは、水質調整部２３を取り外して行うことが、作業性の観点から好ましい。
【００５１】
加熱運転を行った後の水質調整部２３には、貯湯槽３と水質調整部２３の高低差分の水圧がかかっている。よって、水圧がかかっている状態のまま水質調整部２３の取り外しを行うと、貯湯槽３に貯留された湯水が、大気開放となった主流路１８ａに向かって流れ、湯水が流出する。特に、貯湯槽３の全体に湯が貯留されている場合、貯湯槽３の下部から流出した高温水が、大気開放の主流路１８ａから流出することとなり、メンテナンスがより困難となる。
【００５２】
そこで、本実施の形態の給湯装置では、水質調整部２３の上流側と下流側に、それぞれ閉止弁２５ａ、２５ｂを配置している。閉止弁２５ａ、２５ｂによって、主流路１８ａの流路を閉止することができる。よって、閉止弁２５ａ、２５ｂによって入水管路１８を閉止して水質調整部２３の取り外しを行うと、閉止弁２５ａ、２５ｂとの間の入水管路１８に滞留する水のみが流出する。すなわち、給湯装置の内部を循環する水、例えば貯湯槽３の湯水が、メンテンナンス時に流出することはない。これにより、水質調整部２３のメンテナンスを短時間で効率よく行うことができる。
【００５３】
また、閉止弁２５ａ、２５ｂが主流路１８ａを閉止しても、貯湯槽３の下部から入水管路１８へと流出する水は、副流路１８ｂを流れて、熱交換器１１へと流入する。よって、給湯装置の加熱運転を行いながら、水質調整部２３のメンテナンスを行うことができる。
【００５４】
さらに、本実施の形態の給湯装置は、閉止弁２５ａと流入口２３ａとの間の主流路１８ａに、排水弁２６ａを有する排水路２６ｂを備えている。閉止弁２５ａ、２５ｂを閉止した後に排水弁２６ａを開放することで、閉止弁２５ａ、２５ｂとの間に滞留する水は、排水路２６ｂから排水される。また、前述のように、水質調整部２３には、貯湯槽３と水質調整部２３の高低差分の水圧がかかっている。よって、作業者は、水質調整部２３の取り外しを行う前に排水弁２６ａを開放し、水を排水することで、閉止弁２５ａ、２５ｂとの間の入水管路１８内部の圧力を、大気圧まで低下させることができる。
【００５５】
これにより、水質調整部２３の取り外しを行う際に、水が水圧によって噴出することを防ぎ、水質調整部２３のメンテナンスを短時間で効率よく行うことができる。また、排水路２６ｂは、水質調整部２３の鉛直下方側に配置されているので、排水性が向上するとともに、排水時に、作業者に湯水がかかることを防ぐことができるので、メンテナンス性が向上する。
【００５６】
また、水質調整部２３を長期間使用しない場合には、閉止弁２５ａ、２５ｂが閉止され、さらに、排水弁２６ａが開放される。よって、閉止弁２５ａと閉止弁２５ｂとの間に滞留する水が排水路２６ｂから排水される。これにより、外気温が低下した場合に、水質調整部２３および主流路１８ａが、水質調整部２３および主流路１８ａに滞留する水の凍結によって破損することを防止できる。
【００５７】
なお、本実施の形態において、水質調整ユニット４０は、閉止弁２５ａ、２５ｂを閉止し、接続部４７ａ、４７ｂを主流路１８ａから取り外すことで、給湯装置の内部の水を多量に抜くことなく、容易に取り外される。
【００５８】
また、加熱装置１０は、ヒートポンプユニットの代わりに、ガスを用いた燃焼器、電気ヒータなどの他の加熱装置１０を用いてもよい。
【００５９】
また、排水路２６ｂは、閉止弁２５ａと流入口２３ａとの間の主流路１８ａに設けられているが、これに加えて、流出口２３ｂと閉止弁２５ｂとの間の主流路１８ａで、かつ、水質調整部２３よりも鉛直下方側に設けられていても良い。これにより、流出口２３ｂと閉止弁２５ｂとの間に滞留する水を円滑に排水することができる。
【００６０】
なお、本発明の例はこれに限定されない。例えば、主流路と副流路とが、給水管１２に配置されていてもよい。この場合、水質調整ユニット４０、閉止弁２５ａ、２５ｂは給水管１２に形成される主流路に配置される。なお、主流路は、給水管１２の水の流れ方向に対して減圧弁１３の下流側に配置される。これにより、水質調整部２３には、減圧弁１３にて減圧された水が流入する。よって、水質調整部２３の筐体の耐圧性を過度に上昇させる必要が無く、コストを削減することができる。水質調整部２３を給水管１２に配置することで、貯湯槽３に流入する水にスケール抑制剤２２が溶解する。よって、熱交換器１１に流入する水は、スケール抑制剤２２を含むので、前述のようにスケールの析出を抑制することができる。また、水が副流路を流れて貯湯槽３へと給水されるので、給湯装置の運転を停止させることなく、水質調整部２３のメンテンナンスを行うことができる。
【００６１】
また、主流路は、給水管１２の水の流れ方向に対して、給水管１２とバイパス管１６との分岐箇所よりも上流側に配置されていることが好ましい。これにより、バイパス管１６にもスケール抑制剤２２が溶解した水が流れるので、給湯端末１７に供給される湯水におけるスケール抑制剤の溶解度が一定以上に保たれる。
【００６２】
このように、水質調整部２３の交換や、スケール抑制剤２２の充填といったメンテナンスが必要な場合、作業者は、まず、閉止弁２５ａおよび２５ｂによって流路を閉止する。次に、排水路２６ｂの排水弁２６ａを開放して、閉止弁２５ａと閉止弁２５ｂとの間に滞留している水を排水する。次に、入水管路１８と着脱可能に構成されている水質調整部２３を取り外す。これにより、閉止弁２５ａと閉止弁２５ｂとの間に滞留している水が抜かれるだけで、給湯装置全体の水を抜く必要が無い。よって、水質調整部２３のメンテナンスを効率よく行うことができる。
【産業上の利用可能性】
【００６３】
以上のように、本発明にかかる給湯装置は、水質調整部によってスケールの析出を抑制し、また、水質調整部のメンテナンス性が向上するので、家庭用や業務用などの給湯装置に適用することができる。
【符号の説明】
【００６４】
３  貯湯槽
８  循環ポンプ
１０  加熱装置
１２  給水管
１８  入水管路
１８ａ  主流路
１８ｂ  副流路
１９  出湯管路
２３  水質調整部
２５ａ、２５ｂ  閉止弁
２６ａ  排水弁
２６ｂ  排水路
【図１】
2014173825.tif 000003
【図２】
2014173825.tif 000004
【図３】
2014173825.tif 000005